(57)【特許請求の範囲】
【請求項１】
進退自在かつ回動自在に設けられ、プッシュ操作により点火・消火を行うプッシュ式操作ボタンと、
上記操作ボタンの回動操作により回動する回動体と、
上記操作ボタンのプッシュ操作に連動してガス開閉弁を開閉するガスレバーと、
上記ガスレバーに連動して水栓の開度を調節するとともに、当該水栓のスピンドルと係止される下レバーと、この下レバーと一体に動く上レバーとよりなり、上側に押し上げられた際に、上記スピンドルを上側に移動させて該スピンドルに固定される弁体の開度を開き上記水栓を開弁する水レバーと
を備えた元止め式ガス湯沸器であって、
上記ガスレバーの動作支点と上記水レバーの動作支点とを共用する共用軸により両レバーを揺動自在に支持するとともに、上記共用軸を挟んで一方の側に上記ガスレバーを、他方の側に上記水レバーを配置してレバーユニットを形成し、
上記ガスレバーに、上記水レバーの下側に延びて、点火操作時に上記水レバーを押し上げる当接部を設けるとともに、
上記回動体の下面に、上記該回動体の回動に伴い上記上レバーの下側に入り込み、上記水レバーを回動体側に押し上げる押し上げ部を形成する
ことを特徴とする元止め式ガス湯沸器。
【発明の詳細な説明】
【０００１】
【発明の属する技術分野】
本発明は、押圧操作により給水経路およびガス流路を開閉する元止め式ガス湯沸器に関する。
【０００２】
【従来の技術】
従来より、ワンタッチ式の元止め式ガス湯沸器には、押圧操作によって点火・消火操作ができる操作ボタンが設けられる。
また、図６に示すように、操作ボタン２と連動してガス流路を開閉するガスレバー３３Ｃと、ガスレバー３３Ｃに連動して水栓３を開閉する水レバー３４Ｃとが設けられる。
ガスレバー３３Ｃは一端に揺動軸３５Ａを備えて操作ボタン２の下方に設けられ、ガス流路を開閉する器具栓９がガスレバー３３Ｃの裏側に設けられる。
更に、ガスレバー３３Ｃが器具栓９を開弁したときに、ガスレバー３３ＣによりＯＮされて点火用放電等を開始するスイッチ３８が近傍に設けられる。
また、水レバー３４Ｃは、Ｌ字状に曲げられて曲げ部に揺動軸３５Ｂを備え、一方の腕がガスレバー３３Ｃによって作用されるようにガスレバー３３Ｃの下側に重ねられる。
そして、この水レバー３４Ｃの他方の腕にスリット状の切り欠き部が設けられ、先端に係止部３１を備えた水栓３のスピンドル２５がこの切り欠き部に挿通される。
【０００３】
また、操作ボタン２と歯車で連動する湯温調節部３９が設けられ、湯温調節部３９は、流路内に流路開度を変える流量調整器を備える。（図略）
湯温調節部３９は、操作ボタン２により回動されることにより、通水流量を調節して湯温を調節する。
【０００４】
また、元止め式ガス湯沸器は、湯を出湯する出湯機能の他、水だけを出水する出水機構を備えている。
このため、湯温調節部３９には、操作ボタン２が水使用位置に回動操作された場合に、回動力により水レバー３４Ｃだけを下方に移動して水栓３を開けるカム部４０Ｃが下面に形成される。
【０００５】
次に、元止め式ガス湯沸器の点火・消火操作および出水操作について説明する。
操作ボタン２が押圧されて点火操作が行われると、所定位置に係止されて、ガスレバー３３Ｃが器具栓９を開弁し、ガスレバー３３Ｃと連動する水レバー３４Ｃが水栓３の係止部３１を引き上げて水栓３を開弁する。
同時に、ガスレバー３３Ｃによりスイッチ３８がＯＮされて点火用放電が開始され、燃料ガスに着火して燃焼が開始される。
【０００６】
また、操作ボタン２が再度押圧されて消火操作が行われると、ガスレバー３３Ｃが停止位置に戻って器具栓９を閉弁して燃焼が停止される。同時に、ガスレバー３３Ｃと連動する水レバー３４Ｃが水栓３を閉弁して止水する。
【０００７】
そして、操作ボタン３が水使用位置に回動操作されると、歯車により湯温調節部３９が回動し、カム部４０Ｃが水レバー３４Ｃの一方の腕を下方に移動して水栓３だけを開ける。
即ち、ガス流路が閉じられたまま、給水流路だけが開かれて水の使用が行われる。
【０００８】
【発明が解決しようとする課題】
しかしながら、こうした元止め式ガス湯沸器において、組み付けの際に、それぞれのレバー毎に組み付けを行わなければならず、組立に手間がかかる問題があった。
また、修理時にレバーが邪魔になる場合には、それぞれのレバー毎に取り外さなければならず、修理が面倒になってしまう問題があった。殊に、レバーをそのままに修理を行おうとすると、レバーを変形させてしまうこともあった。
そこで、本発明の元止め式ガス湯沸器は上記課題を解決し、ガスレバーおよび水レバーの脱着を容易にすることを目的とする。
【０００９】
【課題を解決するための手段】
上記課題を解決する本発明の請求項１記載の元止め式ガス湯沸器は、
進退自在かつ回動自在に設けられ、プッシュ操作により点火・消火を行うプッシュ式操作ボタンと、
上記操作ボタンの回動操作により回動する回動体と、
上記操作ボタンのプッシュ操作に連動してガス開閉弁を開閉するガスレバーと、
上記ガスレバーに連動して水栓の開度を調節するとともに、当該水栓のスピンドルと係止される下レバーと、この下レバーと一体に動く上レバーとよりなり、上側に押し上げられた際に、上記スピンドルを上側に移動させて該スピンドルに固定される弁体の開度を開き上記水栓を開弁する水レバーと
を備えた元止め式ガス湯沸器であって、
上記ガスレバーの動作支点と上記水レバーの動作支点とを共用する共用軸により両レバーを揺動自在に支持するとともに、上記共用軸を挟んで一方の側に上記ガスレバーを、他方の側に上記水レバーを配置してレバーユニットを形成し、
上記ガスレバーに、上記水レバーの下側に延びて、点火操作時に上記水レバーを押し上げる当接部を設けるとともに、
上記回動体の下面に、上記該回動体の回動に伴い上記上レバーの下側に入り込み、上記水レバーを回動体側に押し上げる押し上げ部を形成する
ことを要旨とする。
【００１０】
上記構成を有する本発明の請求項１記載の元止め式ガス湯沸器は、ユニット内にガスレバーと水レバーとが揺動自在に設けられ、共用軸を挟んで一方の側にガスレバーが、他方の側に水レバーが配置される。そして、操作ボタンにより点火操作が行われた場合に、ガスレバーがガス開閉弁を開弁すると共に、水レバーの下側に延びた当接部が水レバーに当接して水レバーを押し上げて水栓を開弁する。従って、レバー全体をユニットとして取り扱うことができるため、それぞれのレバーを別々に取り扱う必要がなくなり、レバーの脱着が容易になる。また、点火・消火スイッチの回動操作に伴い回動体が回動すると、回動体の下面に形成された押上げ部が上レバーの下側に入り込んでその上レバーと、下レバーとを回動体側に押し上げられることになるので、下レバーに係止されたスピンドルも押し上げられて水栓の開度が開く。したがって、本発明においては、一の操作部（点火・消火スイッチ）だけで、点火・消火動作に加え、水量調節をも行うことができる。
【００１１】
【発明の実施形態】
以上説明した本発明の構成・作用を一層明らかにするために、以下本発明のガス湯沸器の好適な実施例について説明する。
本実施例の元止め式ガス湯沸器では、図７に示すように、水入口からの給水流路１に、操作ボタン２による手動操作と連動して流路を開閉する水栓３が設けられ、その下流で水圧応動装置４を経て熱交換器５が設けられ、熱交換器５からの加熱流路６から湯出口に至る。
また、ガス入口からバーナ１０へのガス流路には、ガス流路を開閉する電磁弁７が設けられ、その下流に水圧応動装置４により開閉される給水自動ガス弁８、操作ボタン２による手動操作と連動してガス通路を開閉する器具栓９とが設けられ、バーナ１０へ通じる。このバーナ１０には放電によりガスへ着火する電極（図略）が設けられる。
【００１２】
また、給水流路１に設けられる水栓３には、図１〜図３に示すように、手動操作力が小さくても動作するパイロットバルブ式の水栓３が用いられる。
パイロットバルブ式の水栓３には、前後に移動自在なダイアフラム１１が設けられ、このダイアフラム１１で仕切って一次室１２と二次室１３とが形成される。
この一次室１２の中央には下流に通じる通水出口２６が開口し、通水出口２６の口元にダイアフラム１１が接離して通水路を開閉する水室弁座１５が設けられる。また、一次室１２の水室弁座１５の近傍には、上流に通じる通水入口２４が開口する。
【００１３】
ダイアフラム１１には、中心部に水室弁座１５下流と二次室１３とを連通するパイロット孔１６と、水室弁座１５の外側に相当する位置に、一次室１２と二次室１３とを連通する小孔１７とが開口する。
また、ダイアフラム１１の二次室側には、パイロット孔１６を開閉するパイロット弁２１と、パイロット弁２１を閉弁方向に付勢するばね２２とが設けられる。
パイロット弁２１は、スピンドル２５の先端に固定され、スピンドル２５の他端には、後述する水レバーにより引き上げられる係止部３１が設けられる。
【００１４】
また、押圧操作によって進退して点火・消火操作が行われ、回動操作によって温度調節が行われる操作ボタン２が設けられる。
この操作ボタン２には点火・消火操作時とで交互に進退する作動軸３２が設けられ、作動軸３２の位置を決定するプッシュプッシュ機構（図略）が設けられる。
また、作動軸３２に当接され、点火・消火操作が行われたときに連動して器具栓９を開閉するガスレバー３３が設けられる。
このプッシュプッシュ機構は、押圧操作によって作動軸３２を所定位置に係止し（点火操作）、再度の押圧操作でこの係止を解除する（消火操作）。
即ち、プッシュプッシュ機構は、点火操作時に所定位置（燃焼位置）にガスレバー３３を移動し、消火操作でガスレバー３３を始端位置（停止位置）に戻すように設けられる。
【００１５】
また、器具栓９を開閉するガスレバー３３に連動して水栓３を開閉する水レバー３４が設けられる。このガスレバー３３と水レバー３４とは、作動支点を共用し、作動支点を挟んで左右にそれぞれ配置される。
そして、ガスレバー３３と水レバー３４とは、作動支点近傍がコの字形に形成され、ガスレバー３３の内側に水レバー３４が重合し、両側面に揺動軸であるピン３５が挿通され、揺動自在に固定部に組み付けられる。
また、この固定部は、パイロットバルブ式の水栓３を外部から固定する押さえ部も兼ねて、取り付けビス４１で器体に固定される。
更に、ピン３５の周囲には、水レバー３４を水栓３の閉弁方向に（図の時計回りの方向に）付勢するトルクバネ３６が設けられる。
また、操作ボタン２の作動軸３２に当接されるガスレバー３３は、ピン３５を挟んで他端が水レバー３４の下側に延びてＬ字形に曲げられ、その端部が水レバー３４の裏面に当接する。
更に、ガスレバー３３に板ばね３７が設けられ、板ばね３７によって点火時にＯＮされ消火時に０ＦＦされるスイッチ３８が器体に設けられる。
一方、水レバー３４は、下段のレバー３４ａと上段のレバー３４ｂとが上下２段に一体に形成される。
そして、下段のレバー３４ａ先端にスリット状の切り欠き部４２が設けられ（図５）、この切り欠き部４２に水栓３の係止部３１下のスピンドル２５が挿通される。
また、上段のレバー３４ｂは、コの字形の側面が延びて下段のレバー３４ａと略平行に形成され、先端が斜め上方に曲げられる。
【００１６】
また、操作ボタン２が回動操作されて湯温調節された場合に、歯車で連動して回動する湯温調節部３９が設けられる。
湯温調節部３９は、流路内に流路開度を変える流量調整器を備え（図略）、操作ボタン２により回動されて流路開度が変えられることにより、通水流量が調節されて湯温が調節される。
【００１７】
また、湯温調節部３９には、水使用位置に回動操作された場合に、回動力によって上段のレバー３４ｂの下面に入り込んで水レバー３４を引き上げるＬ字形の引き上げ部４０が、歯車の下側に一体に形成される（図４、図５）。
尚、図示しないが、燃焼中に、操作ボタン２の水使用位置への回動操作を規制するストッパーと、水使用位置にある場合に、点火操作を規制するストッパーとが操作ボタン２に設けられている。
【００１８】
次に、元止め式ガス湯沸器の点火・消火操作について説明する。
点火操作時に操作ボタン２が押圧されると、作動軸３２がプッシュプッシュ機構により所定位置に係止されて、ガスレバー３３が図面の反時計方向に揺動して器具栓９を開弁し、ガスレバー３３と連動する水レバー３４が水栓３のパイロット弁２１を開弁する（図２）。
そして、水栓３が開弁されることにより給水流路１が開かれ、水圧応動装置４が働いて給水自動ガス弁８が開かれる。
また、ガスレバー３３の板ばね３７がスイッチ３８をＯＮして電磁弁７を開弁してガス流路が開かれると共に、電極への放電を開始して燃料ガスへ着火し、燃焼が開始される。
【００１９】
消火操作時に、操作ボタン２が押圧されると、作動軸３２がプッシュプッシュ機構により停止位置に戻って、ガスレバー３３が器具栓９を閉弁し、ガスレバー３３と連動する水レバー３４が水栓３のパイロット弁２１を閉弁する（図１）。そして、水栓３が閉弁されることにより給水流路１が閉じられ、給水自動ガス弁８が閉じられる。
また、ガスレバー３３の板ばね３７がスイッチ３８をＯＦＦして電磁弁７を閉弁してガス流路が閉じられ、燃焼が停止される。
【００２０】
次に出水操作について説明する。
操作ボタン２が水使用位置に回動操作されると、歯車により湯温調節部３９が回動し、引き上げ部４０が水レバー３４の下面に入り込んで水レバー３４を引き上げる（図３）。
この場合に、ガスレバー３３をそのままに水レバー３４だけが移動して水栓３を開弁する。
このため、ガス流路が閉じられ、給水流路１だけが開かれる。
【００２１】
以上により、ガスレバー３３と水レバー３４とは、揺動軸を共用し、ガスレバー３３と水レバー３４とを合体させ、レバー全体をユニットとして取り扱うことができる。
従って、レバーの組み付けが容易になると共に、修理時にレバーの脱着が容易になる。
また、揺動軸を共用できるので、レバー部を安価に製作できる。
【００２２】
以上、本発明の実施例について説明したが、本発明はこうした実施例に何等限定されるものではなく、本発明の趣旨を逸脱しない範囲において、種々なる態様で実施し得ることは勿論である。
例えば、本実施例では、湯温調節部が操作ボタンの回動操作に連動するが、操作ボタンに連動せずに湯温調節部を直接に回動操作しても良い。
【００２３】
【発明の効果】
以上詳述したように、本発明の元止め式ガス湯沸器によれば、プッシュ式操作ボタンに連動するレバー全体をユニットとして取り扱うことができ、レバーの脱着が容易となって、組付性およびメンテ性が向上するという優れた効果を奏する。なお、本実施形態の湯温調節部３９が本発明の回動体に相当し、引き上げ部４０が本発明の押し上げ部に相当する。
【図面の簡単な説明】
【図１】本発明の実施例に係るレバー部の概略構成図である（停止状態）。
【図２】本発明の実施例に係るレバー部の概略構成図である（燃焼状態）。
【図３】本発明の実施例に係るレバー部の概略構成図である（出水状態）。
【図４】本発明の実施例に係る出水機構を示す図である。
【図５】本発明の実施例に係る出水機構を示す図である。
【図６】従来のレバー部の概略構成図である。
【図７】元止め式ガス湯沸器の概略構成図である。
【符号の説明】
３    水栓
７    器具栓
３３    ガスレバー
３４    水レバー
３４ａ  下段のレバー
３４ｂ  上段のレバー
３５    ピン
３９    湯温調節部
４０    引き上げ部
【図１】
0003943712.tif 000002
【図２】
0003943712.tif 000003
【図３】
0003943712.tif 000004
【図４】
0003943712.tif 000005
【図５】
0003943712.tif 000006
【図６】
0003943712.tif 000007
【図７】
0003943712.tif 000008